(57)【特許請求の範囲】
【請求項１】
開口部を有する容器本体、
前記容器本体の前記開口部を覆う蓋、及び
前記容器本体に収納された一以上の生体情報測定用のセンサ、を備え、
前記容器本体又は前記蓋は、前記蓋を前記容器本体から解放した時点からのセンサの使用期限を示す情報を含むマークを有し、
前記マークは、取り外し自在であるシールによって被覆され、
前記シールは、前記容器本体と前記蓋の両方に跨ぐように接着された、
センサ収納容器。
【請求項２】
前記マークは、光学的に読み取り可能なコードにより構成された、
請求項１に記載のセンサ収納容器。
【請求項３】
前記シールの表面には、前記センサの使用開始時に、前記シールを前記マーク上から取り外すことを促す案内を表示した、
請求項１又は２に記載のセンサ収納容器。
【請求項４】
前記センサは複数であり、
前記マークは、前記容器本体内に収納される前記センサの初期収納数を示す情報を更に含む、
請求項１から３のいずれか一つに記載のセンサ収納容器。
【請求項５】
開口部を有する容器本体、
前記容器本体の前記開口部を覆う蓋、及び
前記容器本体に収納された一以上の生体情報測定用のセンサ、を備え、
前記容器本体又は前記蓋は、前記蓋を前記容器本体から解放した時点からのセンサの使用期限を示す情報を含むマークを有し、
前記マークは、取り外し自在であるシールによって被覆され、
前記センサは複数であり、
前記マークは、前記容器本体内に収納される前記センサの初期収納数を示す情報を更に含む、センサ収納容器のセンサ情報管理方法であって、
前記シールを取り外すことにより表出させた前記マークから、前記センサの使用期限を示す情報と前記センサの初期収納数を示す情報とを含むセンサ情報を読み取り、
読み取った前記センサ情報を記憶部に記憶させ、
前記記憶部に記憶された前記センサ情報を更新し、
前記記憶部に記憶された前記センサ情報を表示部に表示させる、
センサ情報管理方法。
【請求項６】
開口部を有する容器本体、
前記容器本体の前記開口部を覆う蓋、及び
前記容器本体に収納された一以上の生体情報測定用のセンサ、を備え、
前記容器本体又は前記蓋は、前記蓋を前記容器本体から解放した時点からのセンサの使用期限を示す情報を含むマークを有し、
前記マークは、取り外し自在であるシールによって被覆された、センサ収納容器、
前記センサ収納容器内に収納されたセンサを装着する生体情報測定器、及び
前記生体情報測定器と通信可能であり、前記生体情報測定器の測定値を受信する通信端末、を備え、
前記通信端末は、
前記センサ収納容器の前記マークを読み取るセンサ情報読取部と、
前記マークから取得された前記センサの使用期限を示す情報を記憶する記憶部と、
前記センサの使用期限を表示する表示部と、
前記センサの使用期限を示す情報を前記記憶部より取得し、前記表示部に表示させる制御部と、を有する、
センサ情報管理システム。
【請求項７】
開口部を有する容器本体、
前記容器本体の前記開口部を覆う蓋、及び
前記容器本体に収納された一以上の生体情報測定用のセンサ、を備え、
前記容器本体又は前記蓋は、前記蓋を前記容器本体から解放した時点からのセンサの使用期限を示す情報を含むマークを有し、
前記マークは、取り外し自在であるシールによって被覆され、
前記センサは複数であり、
前記マークは、前記容器本体内に収納される前記センサの初期収納数を示す情報を更に含む、センサ収納容器、
前記センサ収納容器内に収納されたセンサを装着する生体情報測定器、及び
前記生体情報測定器と通信可能であり、前記生体情報測定器の測定値を受信する通信端末、を備え、
前記通信端末は、
前記センサ収納容器の前記マークを読み取るセンサ情報読取部と、
前記マークから取得された前記センサの使用期限を示す情報と前記センサの初期収納数を示す情報とを記憶する記憶部と、
前記センサの使用期限と前記センサの初期収納数とを表示する表示部と、
前記センサの使用期限を示す情報と前記センサの初期収納数を示す情報とを前記記憶部より取得し、前記センサの使用期限と前記センサの初期収納数とを表示部に表示させる制御部と、を有する、
センサ情報管理システム。
【請求項８】
前記通信端末の前記制御部は更に、前記生体情報測定器より前記測定値を受信する毎に、前記センサの収納数を減じることにより取得したセンサ数を前記表示部に表示させる、
請求項７に記載のセンサ情報管理システム。
【請求項９】
開口部を有する容器本体と、前記容器本体の前記開口部を覆う蓋とを有し、前記容器本体に複数の生体情報測定用のセンサを収納したセンサ収納容器、
前記センサ収納容器内に収納されたセンサを装着する生体情報測定器、及び
前記生体情報測定器と通信可能であり、前記生体情報測定器の測定値を受信する通信端末、を備え、
前記センサ収納容器は、前記容器本体又は前記蓋に、前記センサ収納容器の個別識別情報と、前記容器本体内に収納されたセンサの初期収納数を示す情報と、前記蓋を前記容器本体から解放した時点からのセンサの使用期限を示す情報とを含むセンサ情報を有するマークを表示し、
前記通信端末       は、前記マークを読み取るセンサ情報読取部と、前記マークから取得された前記センサ情報を記憶する記憶部と、前記記憶部に記憶された前記センサ情報を表示する表示部と、前記センサ情報を前記記憶部より取得し、前記表示部に表示させる制御部と、を有し、
前記通信端末の制御部は更に、前記生体情報測定器より前記測定値を受信する毎に、前記センサの収納数を減じることにより取得したセンサ数を前記記憶部に記憶させ、前記表示部に表示させる、
センサ情報管理システム。
【請求項１０】
前記通信端末は更に、表示実行操作部を有し、
前記通信端末の制御部は、
前記表示実行操作部の操作に応じて、前記センサ情報読取部により前記マークを読み取ったとき、読み取った前記マークを有するセンサ収納容器の前記センサの初期収納数と、前記センサ収納容器の使用開始日とを前記表示部に表示させる、
請求項９に記載のセンサ情報管理システム。
【請求項１１】
前記通信端末の制御部は、前記容器本体から最初に取り出されたセンサの使用日を、前記センサ収納容器の使用開始日として前記表示部に表示させる、
請求項１０に記載のセンサ情報管理システム。
【請求項１２】
前記通信端末の制御部は、前記表示部に、前記記憶部に記憶された他のセンサ収納容器のセンサ数と使用開始日を表示させる、
請求項１１に記載のセンサ情報管理システム。
【請求項１３】
前記通信端末の制御部は、前記センサ情報読取部によって前記マークを読み取ったとき、読み取った前記マークを有するセンサ収納容器のセンサ数と使用開始日を、前記表示部において使用者が特定可能なように表示させる、
請求項１２に記載のセンサ情報管理システム。
【請求項１４】
前記通信端末の制御部は、複数の前記センサ収納容器のセンサ数と使用開始日を前記表示部に表示させる時には、センサの使用開始日が古い順に表示させる、
請求項１３に記載のセンサ情報管理システム。
【請求項１５】
前記通信端末の制御部は、前記表示実行操作部の操作に応じて前記センサ情報読取部を起動し、前記センサ情報読取部によって前記マークを読み取ったとき、読み取った前記マークを有するセンサ収納容器のセンサ数と、前記センサ情報読取部を起動するための操作キーを前記表示部に表示させる、
請求項１０に記載のセンサ情報管理システム。
【請求項１６】
前記通信端末の制御部は、前記操作キーの操作により前記センサ情報読取部を起動し、前記センサ情報読取部によって前記マークを読み取ったとき、読み取った前記マークを有するセンサ収納容器のセンサ数と使用開始日を前記記憶部より取得し、前記表示部において使用者が特定可能なように表示させる、
請求項１５に記載のセンサ情報管理システム。
【請求項１７】
前記通信端末の制御部は更に、前記表示部に、前記記憶部に記憶された他のセンサ収納容器のセンサ数と使用開始日を表示させる、
請求項１６に記載のセンサ情報管理システム。
【請求項１８】
前記センサ収納容器の前記マークは更に、センサの製造日を示す情報を含み、
前記通信端末は、表示実行操作部を有し、
前記通信端末の制御部は、前記表示実行操作部の操作に応じて、前記センサ情報読取部により読み取られた前記マークから、前記センサの製造日を示す情報を取得し、前記センサの製造日を前記表示部に表示させる、
請求項１０に記載のセンサ情報管理システム。
【請求項１９】
前記通信端末の制御部は、前記センサ情報読取部によって前記マークを読み取ったとき、読み取った前記マークを有するセンサ収納容器のセンサ数とセンサの製造日を、前記表示部において使用者が特定可能なように表示させる、
請求項１８に記載のセンサ情報管理システム。
【請求項２０】
前記通信端末の制御部は、前記表示部に、前記記憶部に記憶された他のセンサ収納容器のセンサ数とセンサの製造日を表示させる、
請求項１９に記載のセンサ情報管理システム。
【請求項２１】
前記通信端末の制御部は、複数の前記センサ収納容器のセンサ数とセンサの製造日を前記表示部に表示させる時には、センサの製造日の古い順に表示させる、
請求項２０に記載のセンサ情報管理システム。
【請求項２２】
前記通信端末の制御部は、前記表示実行操作部の操作に応じて前記センサ情報読取部を起動し、前記センサ情報読取部によって前記マークを読み取ったとき、読み取った前記マークを有するセンサ収納容器のセンサ数とセンサの製造日を、前記センサ情報読取部を起動するための操作キーと共に前記表示部に表示させる、
請求項２１に記載のセンサ情報管理システム。
【請求項２３】
前記通信端末の制御部は、前記操作キーの操作により前記センサ情報読取部を起動し、前記センサ情報読取部によって前記マークを読み取ったとき、読み取った前記マークを有するセンサ収納容器のセンサ数とセンサの製造日を前記記憶部より取得し、前記表示部において使用者が特定可能なように表示させる、
請求項２２に記載のセンサ情報管理システム。
【請求項２４】
前記通信端末の制御部は更に、前記表示部に、前記記憶部に記憶された他のセンサ収納容器のセンサ数とセンサの製造日を表示させる、
請求項２３に記載のセンサ情報管理システム。
【発明の詳細な説明】
【技術分野】
【０００１】
本開示は、例えば血糖値等の生体情報を測定するセンサを収納するセンサ収納容器と、これを用いたセンサの管理方法と、センサ収納容器に収納されたセンサを管理するセンサ情報管理システムに関するものである。
【背景技術】
【０００２】
従来例のセンサ収納容器は、容器と、この容器に収納された生体情報測定用のセンサとを備えていた。そして、例えばそれが血糖値を測定するセンサを収納するセンサ収納容器であった場合、このセンサ収納容器に収納されるセンサに関する情報（例えば、センサの初期収納数、製造管理番号、製造日に基づくセンサの有効期間情報等）を、容器に取り付けられた電子タグに保持していた。
そして、このセンサに関する情報を血糖値測定器が読み取ることにより、センサ収納容器内のセンサを管理するものとなっていた（これに類する先行文献として、例えば、下記特許文献１が存在する）。
【先行技術文献】
【特許文献】
【０００３】
【特許文献１】特開２０１２−７８１０９号公報
【発明の概要】
【発明が解決しようとする課題】
【０００４】
上記従来例における課題は、センサの使い勝手が悪いと言うことであった。すなわち、上記従来例のセンサ収納容器には、例えばそれが血糖値を測定するセンサを収納するものであった場合、このセンサ収納容器に収納されるセンサの測定機能が有効に働く期間を示す情報が血糖値測定器によって表示される。ここで、センサの測定機能が有効に働く期間を示すものには、例えば有効期限、使用期限がある。
有効期限とは、センサが製造された日からセンサの測定機能が有効に働く期間を示すものである。また、使用期限とは、センサが未使用のセンサ収納容器から最初に取り出された日を使用開始日とし、この使用開始日からセンサの測定機能が有効に働く期間を示すものである。つまり、血糖値を測定するセンサは、長期間、空気に触れると測定機能が劣化するので、このような使用期限が設定されている。また実使用においては、センサを使い切ってしまった場合に対応するため、使用者は、通常、予備のセンサ収納容器も用意している。
【０００５】
このようにセンサの有効期限、使用期限が設定されている状況下において、使用者は、使用中のセンサ収納容器からセンサを取り出して使用しようとする。しかし、上述のごとく、予備のセンサ収納容器も含めて複数のセンサ収納容器が存在する状況では、どのセンサ収納容器が使用中であるかを使用者は判別することができず、使い勝手の悪いものであった。
そこで本開示は、生体情報測定用のセンサの使い勝手を良くすることを目的とする。
【課題を解決するための手段】
【０００６】
本開示の第１の観点によれば、センサ収納容器は、開口部を有する容器本体、容器本体の開口部を覆う蓋、及び容器本体に収納された一以上の生体情報測定用のセンサ、を備える。容器本体又は蓋は、蓋を容器本体から解放した時点からのセンサの使用期限を示す情報を含むマークを有する。マークは、取り外し自在であるシールによって被覆されている。
本開示の第２の観点によれば、センサ情報管理システムは、開口部を有する容器本体と容器本体の開口部を覆う蓋とを有し、容器本体に複数の生体情報測定用のセンサを収納したセンサ収納容器、同センサ収納容器内に収納されたセンサを装着する生体情報測定器、及び同生体情報測定器と通信可能であり生体情報測定器の測定値を受信する通信端末、を備える。センサ収納容器は、容器本体又は蓋に、センサ収納容器の個別識別情報と、容器本体内に収納されたセンサの初期収納数を示す情報と、蓋を容器本体から解放した時点からのセンサの使用期限を示す情報とを含むセンサ情報を有するマークを表示する。通信端末は、マークを読み取るセンサ情報読取部と、マークから取得されたセンサ情報を記憶する記憶部と、記憶部に記憶されたセンサ情報を表示する表示部と、センサ情報を記憶部より取得し表示部に表示させる制御部と、を有する。通信端末の制御部は更に、生体情報測定器より測定値を受信する毎に、センサの収納数を減じることにより取得したセンサ数を記憶部に記憶させ、表示部に表示させる。
【発明の効果】
【０００７】
以上のように本開示に係るセンサ収納容器は、容器または蓋には、蓋を容器から解放した時点からのセンサの使用期限を設定する使用期限マークを設け、この使用期限マークを取り外し自在となったシールによって覆ったものである。このため、使用者が未使用のセンサ収納容器を使用する時には、シールを取り除き使用期限マークを確認する。この使用期限マークにより、使用者は血糖値を測定するセンサの使用期限を知ることが出来る。また、この時、センサ収納容器は、シールが剥がされたことにより使用中であることを示すものとなり、使用者は、シールで覆われた未使用のセンサ収納容器と区別することができるようになる。したがって、使用者は、センサを使用中のセンサ収納容器から取り出して使用することができ、その結果として、センサの使い勝手を向上させることが出来る。
また、このようなセンサ収納容器に収納される生体情報測定用のセンサは、光を嫌うため、センサ収納容器は遮光性の材質で作られ、センサ収納容器の蓋が閉められた状態ではセンサの収納状態を外から確認できない場合が多い。このような状況下において、センサ収納容器内の正確なセンサ数を知るために、使用者は、いちいちセンサ収納容器の蓋を開けて数えなければならず、この点で使い勝手の悪いものであった。
【０００８】
そこで、本開示に係るセンサ情報管理システムにおいては、生体情報測定器によって生体情報の測定を行い、その測定値が通信端末に送られる毎に、通信端末がセンサ収納容器内の正確なセンサ数を取得し、表示部に表示する。したがって、使用者は、センサ収納容器内の正確なセンサ数を知ることができ、この点からも、センサの使い勝手が向上される。
【図面の簡単な説明】
【０００９】
【図１】実施の形態１に係るセンサ収納容器の外観図
【図２】同、シールを付けた状態のセンサ収納容器の外観図
【図３】同、センサ収納容器及び生体情報測定器のケース収容状態を表す斜視図
【図４】同、センサ収納容器を含むセンサ情報管理システムの図
【図５】同、生体情報測定器の制御ブロック図
【図６】同、携帯端末の制御ブロック図
【図７】同、センサ収納容器のバーコード情報と携帯端末のセンサ情報の内容を示す図
【図８】同、携帯端末の表示部による表示例を示す図
【図９】同、携帯端末の動作フローチャート
【図１０】同、携帯端末の表示部による表示例を示す図
【図１１】実施の形態２に係るセンサ収納容器及び生体情報測定器のケース収容状態を表す斜視図
【図１２】同、センサ収納容器のバーコード情報と携帯端末の容器情報の内容を示す図
【図１３】同、携帯端末の動作フローチャート
【図１４】同、携帯端末の斜視図
【図１５】同、携帯端末の表示部による表示例を示す図
【図１６】同、携帯端末の表示部による表示例を示す図
【図１７】同、携帯端末の表示部による表示例を示す図
【図１８】同、携帯端末の表示部による表示例を示す図
【図１９】同、携帯端末の表示部による表示例を示す図
【図２０】同、携帯端末の表示部による表示例を示す図
【図２１】実施の形態３に係る携帯端末の動作フローチャート
【図２２】同、センサ収納容器のバーコード情報と携帯端末の容器情報の内容を示す図
【図２３】同、携帯端末の表示部による表示例を示す図
【図２４】同、携帯端末の表示部による表示例を示す図
【図２５】同、携帯端末の表示部による表示例を示す図
【図２６】同、携帯端末の表示部による表示例を示す図
【図２７】同、携帯端末の表示部による表示例を示す図
【図２８】同、携帯端末の表示部による表示例を示す図
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、発明者は、当業者が本開示を十分に理解するために添付図面および以下の説明を提供するのであって、これらによって特許請求の範囲に記載の主題を限定することを意図するものではない。
以下、本発明の実施の形態を、例えば血糖値を測定するためのセンサを収納するためのセンサ収納容器に適用したものを説明する。
（実施の形態１）
図１から図１０を用いて、実施の形態１を説明する。
【００１１】
[１−１  センサ収納容器]
図１において、１はセンサ収納容器（センサ収納容器の一例）を示す。センサ収納容器１は、その内部に血糖値（生体情報の一例）を測定するための長板状のセンサ２（センサの一例）を収納する。このセンサ収納容器１は、上面に開口部を有する円筒状の容器本体３（容器本体の一例）と、この容器本体３の開口部を開閉自在に覆う蓋４（蓋の一例）とを備えている。
更に、蓋４には、蓋４を容器本体３から解放した時点からのセンサ２の使用期限を示す使用期限マークを設けている。具体的には、蓋４上に表示部５を設け、この表示部５は、ラベル６とバーコード７（マークの一例）とを含む。ラベル６は、センサ収納容器１の収納物に関する情報を文字で表示する。バーコード７は、図７（ａ）に示すように、容器本体３内に収納されるセンサ２に関するセンサ情報（センサ情報の一例；容器内のセンサ２に関する情報で、センサ２の初期収納数、使用期限マーク等を示す）を表す。つまり、センサ情報は、バーコード７によって構成される。
【００１２】
なお、本実施形態において、センサ２には二つの期限が設定されている。上述の使用期限マークで設定される使用期限と、有効期限である。有効期限とは、センサ２が製造された日からセンサ２の測定機能が有効に働く期間を示す。更に、センサ２の製造日に基づいて有効期限を加えたものを、有効期限日とする。有効期限日は、センサ２が製造された時に決定される。
使用期限とは、センサ２が未使用のセンサ収納容器１から最初に取り出された日を使用開始日とし、この使用開始日からセンサ２の測定機能が有効に働く期間を示すものである。使用開始日に使用期限を加えたものを、使用期限日とする。つまり、血糖値を測定するセンサ２は、よく知られているように、長期間、空気に触れると測定機能が劣化するので、このような使用期限が設定されている。使用期限日は、センサ２が未使用のセンサ収納容器１から最初に取り出された時に決まるので、使用者は、未使用のセンサ収納容器１を使用する時にセンサ２の使用期限（例えば９０日）を確認する必要がある。そこで、使用期限を例えば９０日とし、この使用期限を表す（設定する）使用期限マークをバーコード７で構成し、表示部５に表示する。
【００１３】
このため、使用者は、図１に示すように携帯端末（通信端末の一例）８のバーコード読取部（センサ情報読取部の一例）２３（図６参照）によって、バーコード７から、センサ情報としてセンサ２の初期収納数（例えば３０枚）と、使用期限マーク（例えば９０日）を読み取る。携帯端末８は、使用期限マークに基づいた使用期限（例えば９０日）を設定すると共に、読み取ったセンサ情報を携帯端末８の表示部１１に表示する。この表示により、使用者はセンサ２の初期収納数と使用期限を確認することができる。その後、携帯端末８は、読み取ったセンサ情報を基にセンサ収納容器１内のセンサ２の数と使用期限を管理する。
血糖値を測定する時に、使用者がセンサ２をセンサ収納容器１から１枚取り出して、図４に示すように、血糖値の測定器（生体情報測定器の一例）９に装着すると、測定器９は血糖値を測定する。次に、測定器９は測定した血糖値を携帯端末８に送信する。携帯端末８は、血糖値を受け取ると管理中のセンサ２の数を減じ、表示部１１に「センサ残数は２９枚」と表示し、センサ２の数と使用期限を管理する。この管理動作については、後で詳細に説明する。なお、測定器９と携帯端末８との通信は、無線であっても有線であってもよい。
【００１４】
その後、容器本体３を蓋４で閉成すると、残りのセンサ２は容器本体３内で密封状態に保管され、センサ２における測定機能の劣化が防止される。
以上により本実施形態の基本的な構成および動作を説明した。
本実施形態におけるセンサ収納容器１の特徴点は、センサ２の初期収納数、及び、蓋４を容器本体３から解放した時点からのセンサの使用期限を設定する使用期限マークを表示部５にのみ表示することに加え、図２に示すように、この表示部５をシール１２で取り外し自在に覆ったことである。
具体的には、未使用のセンサ収納容器１では、図１の表示部５を、シール１２により覆い、センサ２の初期収納数と使用期限マークを外部から見えないように隠している。これにより、使用者がセンサ２の初期収納数と使用期限マークを認識できない状態を形成した。
【００１５】
更に、シール１２の表面には、センサ収納容器１の使用開始時に、このシール１２を使用期限マーク上（つまり表示部５上）から剥がすことを促す案内表示を設けている。具体的には、シール１２の表面に、例えば「シールを剥がして使用期限を確認ください」等、使用者に対しこのシール１２を表示部５から剥がすことを促す案内を文字で表示している。このため、未使用のセンサ収納容器１を使用する時、つまり、初めて蓋４を容器本体３から解放する時には、使用者はシール１２の取り外し案内に従ってシール１２を蓋４から剥がして使用期限マークを確認する。すると、図１に示すように、剥がしたシール１２の下から、表示部５が表出し、バーコード７で構成されたセンサ情報（初期収納数と使用期限マーク）が表出する。また、表示部５のラベル６には、例えば「バーコードを登録して下さい」等、案内が表示されている。使用者が携帯端末８のバーコード読取部２３（図６）を用いてバーコード７からセンサ情報を読み取ると、携帯端末８は読み取ったセンサ情報を自身の表示部１１に表示する。この表示により、使用者はセンサ２の初期収納数と、使用期限マークに基づく使用期限を確認することができる。つまり、この使用期限マークにより、使用者は血糖値を測定するセンサの使用期限を知ることが出来る。
【００１６】
そしてこの時、センサ収納容器１は、シール１２が剥がされたことにより使用中であることを示すものとなり、シール１２で覆われた未使用のセンサ収納容器１と区別することができるようになる。
具体的に一例をあげると、図３に示すように、使用者は、使用中のセンサ収納容器１Ａ、測定器９、穿刺器具１３と共に、予備のセンサ収納容器１Ｂを収納ケース１４に入れて持ち運ぶことが多い。このような時に、使用中のセンサ収納容器１Ａはシール１２が剥がされているため、シール１２で覆われた未使用のセンサ収納容器１Ｂとは明確に区別できる。
したがって、使用者は、使用期限に近くなったセンサ２を、使用中のセンサ収納容器１Ａから取り出すことができる。その結果として、センサの使い勝手を良くすることが出来る。
【００１７】
更に、本実施形態のセンサ収納容器１は、図２に示すように、容器本体３が蓋４で閉成された状態で、シール１２を容器本体３と蓋４の両方に跨ぐようにして接着させ、容器本体３と蓋４の閉成部分を封印する構成とした。このため、未使用状態のセンサ収納容器１を使用する場合、蓋４を容器本体３から解放する時に、封印のシール１２が確実に剥がされることとなる。よって、使用者はセンサ収納容器１が使用中か未使用かを判別することができ、センサの使い勝手を良くすることができる。
なお、本実施形態においては、使用期限マークは、表示部５のバーコード７で構成したが、表示部５のラベル６に文字情報として表示しても良い。この構成によれば、使用者は、未使用状態のセンサ収納容器１を使用する時に、センサ収納容器１のシール１２を剥がすと、センサ２の使用期限マークを目視にて読み取ることができるので、センサの使い勝手が良いものとなる。
【００１８】
なお本実施形態においては、使用期限マークを表示する表示部５を蓋４に設けたが、容器本体３の外表面に設けてシール１２により隠しても良い。
[１−２  センサ情報管理システム]
さて、このようなセンサ収納容器１に収納されるセンサ２は光を嫌うため、センサ収納容器１は遮光性の材質で作られる。よって、センサ収納容器１の蓋４が閉められた状態ではセンサ２の収納状態を外から確認できない。このような状況下において、センサ収納容器１内の正確なセンサ数を知るためには、いちいちセンサ収納容器１の蓋を開けて数えなければならず、この点で使い勝手の悪いものであった。
そこで、本実施形態においては、センサ２のセンサ数を管理し、使用者がいちいち蓋４を開けなくてもセンサ収納容器１内の正確なセンサ数が分かるようにしたセンサ情報管理システムを提供する。具体的に以下に説明する。
【００１９】
図４は、本実施形態のセンサ情報管理システム１００（センサ情報管理システムの一例）を示す。センサ情報管理システム１００は、センサ収納容器１内に収納されたセンサ２のセンサ数と使用期限を管理するものである。センサ情報管理システム１００は、複数のセンサ２を収納したセンサ収納容器１と、このセンサ収納容器１内に収納されたセンサ２を装着して用いる測定器９と、この測定器９の測定値が送信される携帯端末８（通信端末の一例）とを備える。
なお、センサ収納容器１は、図１で示したものと同様である。
[１−２−１  測定器]
測定器９は、長方形状をした本体ケース９ａと、この本体ケース９ａの一端側に設けられたセンサ装着部１５とを有している。更に測定器９は、その内部に、図５に示すように、センサ装着部１５に接続される測定部１６と、この測定部１６に接続される制御部１７と、この制御部１７に接続される通信部１８と、を有している。また制御部１７には、表示部１０、電池１９、記憶部２０が接続されている。
【００２０】
[１−２−２  携帯端末]
携帯端末８は、図４に示すように、表示部１１を有する長方形状の本体ケース８ａを有する。携帯端末８は、図６に示すように、この本体ケース８ａ内に設けられた通信部２１と、この通信部２１に接続された制御部２２と、この制御部２２に接続されるバーコード読取部（センサ情報読取部の一例）２３と、制御部２２に接続される記憶部２４等を有している。このバーコード読取部２３は、一般的なバーコードリーダで構成されている。記憶部２４は、バーコード読取部２３で読み取ったセンサ情報を記憶する。さらに、制御部２２には、表示部１１、電池２５、電源キー２６、時計３０が接続される。
携帯端末８の表示部１１は、図４に示すように、長方形状をした本体ケース８ａのほぼ全面に設けられるとともにタッチ入力を可能にしている。制御部２２が表示部１１に表示させるボタンが使用者の指によりタッチ選択されると、タッチ操作に応じて要求された機能が制御部２２により実行される。
【００２１】
携帯端末８の制御部２２は、ＣＰＵ等のプロセッサを含み、所定のコンピュータプログラムを読み出して実行、処理することにより携帯端末８の各機能を実現する。特に、制御部２２は、バーコード読取部２３によって読み取られた情報（図７（ａ））から、センサ収納容器１のセンサ２の初期収納数と使用期限マークを示す情報を取得し、図７（ｂ）に示すセンサ情報を記憶部２４に記憶させる。そして、図７（ｂ）この取得した使用期限マークに関する情報（つまり、蓋４を容器本体３から解放した時点からのセンサ２の使用期限に関する情報）と、容器本体３内におけるセンサ２の初期収納数を示す情報とを記憶部２４に記憶すると共に、携帯端末８の表示部１１に表示させる。
[１−３  センサ情報管理システムの動作]
以上の構成において、以下にセンサ収納容器１内のセンサ管理動作について説明する。
【００２２】
[１−３−１  センサ情報の管理]
使用者は、未使用のセンサ収納容器１を初めて使用する時、上述のごとく、シール１２を剥がして表示部５のバーコード７を表出させる。
次に、使用者が携帯端末８の電源キー２６をＯＮにし、所定のアプリケーションを立ち上げると、図８（ａ）に示すように、表示部１１にバーコード読取画面が表示される。このバーコード読取画面では、バーコード読取部２３の撮影画像が表示部１１に表示される。よって、使用者はバーコード読取部２３をセンサ収納容器１に近づけて、図８（ｂ）に示すように、バーコード７を拡大表示させる。
この状態で、表示部１１下部に表示された読み込みボタン２７が使用者によりタッチ選択されると、本実施形態の携帯端末８のバーコード読取部２３が、バーコード７からセンサ２の初期収納数(例えば３０枚)に相当する情報を読み取り、制御部２２に送信する。また、バーコード読取部２３は、使用期限マークからセンサ２の使用期限（例えば９０日）に相当する情報を読み取り、制御部２２に送信する。
【００２３】
そして、制御部２２は、図７（ｂ）に示すように、センサ２の初期収納数をセンサ数として記憶部２４に記憶するとともに、使用期限マークに基づく使用期限も記憶部２４に記憶する。更に、制御部２２は、図６の時計３０から現在の日付を読み取り、この日を、最初に蓋４を容器本体３から解放した日（つまり、センサ２が未使用のセンサ収納容器１から最初に取り出された日）とし、センサ２の使用開始日（センサ収納容器１の使用開始日とも称す）として記憶部２４に記憶する。
その後、制御部２２は、表示部１１にセンサ数、センサの使用開始日、及びセンサの使用期限を表示する。例えば、「センサ数は３０枚、センサの使用開始日は２０１３年１月１日、センサの使用期限は９０日」と表示する。この表示を見た使用者は、センサ数、センサ２の使用開始日、センサ２の使用期限を知ることができる。なお、使用期限の表示は、実際の使用期限日を制御部２２が演算して表示するようにしてもよい（例えば、「センサ使用期限は２０１３年４月１日」等）。
【００２４】
よって、本実施形態のセンサ情報管理システム１００は、センサ数の管理を行うとともに、センサ２の使用開始日と使用期限管理を行うものである。この時以降、携帯端末８は、この使用中となったセンサ収納容器１を使用対象とし、その中に収納されたセンサ２のセンサ数と使用期限を管理する。
以上のように、センサ２にはセンサ収納容器１から最初に取り出された日からカウントされる使用期限が設定されている。よって、使用者は、血糖値の測定時には、使用中のセンサ収納容器１から取り出したセンサ２を使用したい。本実施形態においては、上述したごとく、使用中のセンサ収納容器１Ａはシール１２が剥がされているため、使用者は、未使用のセンサ収納容器１Ｂとは容易に区別することができる。したがって使用者は、図３に示すように複数のセンサ収納容器１Ａ、１Ｂを保有していても、使用期限に近くなった使用中のセンサ収納容器１Ａを選んでそのセンサ２を取り出して、血糖値を測定することができる。
【００２５】
その後、センサ２が測定器９のセンサ装着部１５に装着され、センサ２の点着部２８に血液が点着されると、測定部１６により血糖値が測定される。測定器９の制御部１７は、測定された血糖値を表示部１０に表示するとともに、血糖値を、通信部１８を介して携帯端末８に無線送信する。以下、血糖値測定時の動作について説明する。
[１−３−２  血糖値測定]
図９は、血糖値の測定時における携帯端末８の動作フローチャートを示す。
携帯端末８の制御部２２は、測定器９から通信部２１を介して測定した血糖値データを受け取り（Ｓ９０１）、受け取った血糖値データを記憶部２４に記憶する（Ｓ９０２）。
制御部２２は、血糖値データを受け取ったことにより、センサ２がセンサ収納容器１から取り出されて血糖値の測定が行われたと判断する。そこで、記憶部２４に記憶しているセンサ収納容器１のセンサ２の数を１つ減じる。（Ｓ９０３）。
【００２６】
今回は、記憶部２４に記憶したセンサ２のセンサ数を１つ減じて２９とする。
その後、制御部２２は、図１０の「血糖値表示画面」に示すように、センサ残数を、受け取った血糖値および測定日時と共に、携帯端末８の表示部１１に表示する（Ｓ９０４）。
図１０は、携帯端末８の表示部１１による「血糖値表示画面」の一例を示す。同表示例では、表示部１１の上部に測定日時と血糖値が＜２０１３／２／１５  １２：００  ８０ｍｇ／ｄＬ＞と表示され、中部にセンサ数が＜センサ残数：２９＞と表示されている。
したがって、使用者は、血糖値を測定する毎にセンサ２の正確な残数を確認することができるものとなり、その結果として、センサ２の使い勝手を良くすることが出来るものとなる。
【００２７】
なお、センサ収納容器１は、長期間使用する場合があるので、使用者は、センサ収納容器１の開封日（センサ２の使用開始日）を忘れてしまうことがあり、センサ２の使用期限日が分からなくなる時がある。そこで本実施形態においては、使用者が携帯端末８の所定のボタン（図示せず）を押せば、制御部２２は、記憶部２４からセンサ数、センサ２の使用開始日、センサ２の使用期限を読み出し、表示部１１に表示させる。このため、この表示を見た使用者は、センサ数とともに、センサ２の使用開始日、センサ２の使用期限を確認することができる。この点からも、センサ２の使い勝手が良いものとなる。
[１−４  効果等]
以上説明したように本実施形態のセンサ収納容器１は、容器本体３または蓋４に、蓋４を容器本体３から解放した時点からのセンサ２の使用期限を示す使用期限マークを設け、この使用期限マークは、取り外し自在となったシール１２によって覆っている。よって、使用者はシールを剥がすと、この使用期限マークにより、血糖値を測定するセンサの使用期限を知ることが出来る。更に、使用中のセンサ収納容器１Ａはシール１２が剥がされているため、シール１２で覆われた未使用のセンサ収納容器１Ｂとは明確に区別できる。この結果、センサの使い勝手を向上させることができる。
【００２８】
また、本実施形態のセンサ情報管理システム１００は、携帯端末８のバーコード読取部２３によりセンサ収納容器１の表示部５から、このセンサ収納容器１内に収納されたセンサ２の初期収納数（センサ数）と使用期限マークを読み取って記憶部２４に記憶する。その後、測定器９で例えば血糖値の測定を行い、この測定値を携帯端末８が受け取った時には、記憶部２４に記憶したセンサ数を減じて、この携帯端末８の表示部１１に表示する。このため、測定器９で血糖値の測定を行い、この血糖値が携帯端末８に送られると、携帯端末８がセンサ収納容器１内の正確なセンサ数を血糖値とともに表示部１１に表示する。その結果として、使用者は、血糖値を測定する毎に正確なセンサ数を知ることができ、この点からもセンサ２の使い勝手が良いものとなる。
以上の通り、この実施の形態１では、１個のセンサ収納容器１内に収納されたセンサ２のセンサ数および使用期限を管理するシステムを示した。
【００２９】
（実施の形態２）
[２−１  構成]
本実施形態のセンサ情報管理システム１００は、主に、複数のセンサ収納容器の個別識別情報を扱う点において、上記実施の形態１のセンサ情報管理システム１００とは異なる。センサ収納容器及び携帯端末については実施の形態１と同様の構成であるため、同様の符号を付して、同じ図を参照する。
使用者は、毎日の血糖値の測定のため、図１１に示すような収納ケース１４を利用する。収納ケース１４には、使用中のセンサ収納容器２０１Ａに加えて予備のセンサ収納容器２０１Ｂが入れられることが多い。このような場合、使用者は、例えば自宅で血糖値を測定した後に、使用中のセンサ収納容器２０１Ａを収納ケース１４に戻すのを忘れてしまい、そのまま収納ケース１４を持って外出してしまう時がある。このような時、使用者は、外出先で予備のセンサ収納容器２０１Ｂを開封して使用することになる。
【００３０】
そこで、実施の形態２は、実施の形態１のセンサ情報管理システム１００を拡張し、複数個のセンサ収納容器を管理できるものとし、各々に収納されたセンサ２のセンサ数を管理するシステムを提供する。
具体的には、本実施形態のセンサ収納容器２０１に付されたバーコード７は、図１２（ａ）に示すように、センサ収納容器２０１の個別識別情報を有している。つまり、この個別識別情報は、このセンサ収納容器２０１内に収納されたセンサ２の初期収納数（センサ数）、蓋４をセンサ収納容器２０１から解放した時点からのセンサ２の使用期限を設定する使用期限マークと共に、バーコード７によって構成されている。
本実施形態のセンサ情報管理システム１００には、センサ収納容器２０１の情報を示すものとして容器情報（センサ情報の一例）を含む。この容器情報は、図１２（ｂ）に示すように、各センサ収納容器２０１Ａ，２０１Ｂの個別識別情報、センサ収納容器２０１内のセンサ２の残数を表すセンサ数、センサ収納容器２０１の使用開始日を表すボトル使用開始日（センサの使用開始日とも称す）、センサ２の使用期限を有している。
【００３１】
[２−２  動作]
以下に、本実施形態に係るセンサ情報管理システム１００の動作について、図１３の動作フローチャートに沿って説明する。ここでは、使用者が使用中のセンサ収納容器２０１Ａを自宅に忘れてしまい、外出先で予備のセンサ収納容器２０１Ｂを使用する場合を例にとって説明する。
[２−２−１  容器情報の追加処理]
先ず、使用者は、図１４に示すように、携帯端末８の表示部１１上に表示されたボトル選択アイコン２９をタッチ操作により選択する（Ｓ１３０１）。すると、図１５の「ＴＯＰ画面」の表示例に示すように、携帯端末８の制御部２２は、センサ収納容器（以下ボトルとも称する）の確認を促すＴＯＰ画面を表示部１１に表示させる（Ｓ１３０２）。
【００３２】
図１５に示すように、本実施形態の携帯端末８には、そのＴＯＰ画面に、表示実行操作部の一例として「※新しくボトルを追加」ボタンＡ２を設けている。そして、使用者が、この「※新しくボトルを追加」ボタンＡ２を選択すると（Ｓ１３０３）、制御部２２は、バーコード読取部２３を起動する（Ｓ１３０４）。このとき、表示部１１は、図８（ａ）及び図８（ｂ）と同様に、バーコード読取画面を表示する。使用者は、センサ収納容器２０１Ｂのシール１２を剥がして表示部５を表出させる。そして、バーコード読取部２３によりセンサ収納容器２０１Ｂの表示部５のバーコード７を読み取ることにより、容器情報を取得する。容器情報は、センサ収納容器２０１Ｂの個別識別情報、センサ２の初期収納数（センサ数）、及び使用期限マークに基づくセンサ２の使用期限の３つの情報を含む。
制御部２２は、取得した容器情報の個別識別情報と、すでに記憶部２４に記憶されている容器情報の個別識別情報とを比較する（Ｓ１３０５）。この結果、取得した容器情報が未だ記憶部２４に記憶されていない場合には、図５の時計３０から現在の日付を取得し、同日付をボトル使用開始日として新たに容器情報（図１２（ｂ）の“２０１Ｂ”）を追加する。つまり、センサ収納容器２０１Ｂからセンサ２が最初に取り出される日をセンサ収納容器２０１Ｂの使用開始日（ボトル使用開始日）とみなして、容器情報に追加する。
【００３３】
よって、図１２（ｂ）に示すように、新たに取得した容器情報は、センサ収納容器２０１Ｂの個別識別情報、センサ２のセンサ数（ここでは、初期収納数と同じ）、ボトル使用開始日、センサ２の使用期限、の４つの情報を有するものとなる。そして、制御部２２は、この追加した容器情報を記憶部２４（図６）に記憶する（Ｓ１３０６）。
次に、制御部２２は、図１６の表示例に示すように、ボトル確認画面を表示部１１に表示させる（Ｓ１３０７）。同画面では、センサ収納容器２０１Ｂのセンサ２の初期収納数（センサ数）と使用開始日とが、表示部１１に容器情報ボタンＢ２として表示される。具体的には、表示部１１の中部に、新たに取得したセンサ収納容器２０１Ｂの容器情報を表す容器情報ボタンＢ２を、ボトル使用開始日とセンサ数を示す文字＜［２０１３／０１／１０］  残り３０枚＞とともに表示する。
【００３４】
この処理により、センサ情報管理システム１００において、新しいセンサ収納容器２０１Ｂを追加した場合、その容器情報（センサ数、ボトル使用開始日）が容器情報ボタンとして表示部１１に表示される。よって、使用者にとってセンサ２の使い勝手が良いものとなる。
さらに、制御部２２は、全ての容器情報を記憶部２４から読み出し、容器情報ボタンとして、読み出した容器情報をボトル使用開始日およびセンサ数の文字とともに表示させる。
具体的には、センサ収納容器２０１Ａとセンサ収納容器２０１Ｂの２つの容器情報ボタンＢ１、Ｂ２が表示される。表示部１１の上部には、センサ収納容器２０１Ａの容器情報を表す容器情報ボタンＢ１を、ボトル使用開始日とセンサ数を示す＜［２０１２／１２／０１］  残り１２枚＞の文字とともに表示する。
【００３５】
このため、今回読み取ったセンサ収納容器１Ｂとともに、他のセンサ収納容器の容器情報も表示されるので、管理している容器情報を一度に確認することができる。
またこの時、制御部２２は、今回バーコード読取部２３によって読み取って新たに追加された容器情報に基づく容器情報ボタンＢ２を、図１６に示すように、太枠で囲むことにより強調して表示し、「※新規読み取りボトル」の文字とともに表示する（以下、特定表示と称する）。このため、使用者は、今回新たに追加されたセンサ収納容器２０１Ｂのセンサ数及びボトル使用開始日を、容易に認識することができる。
図１６のボトル確認画面において、新しく登録された容器情報ボタンＢ２が使用者によりタッチ選択されると、制御部２２は、図１７に示すように、選択されたボトルを使用中のボトルに設定することを確認する画面を表示部１１に表示させる。使用者が画面上部に表示された容器情報ボタンのセンサ数とボトル使用開始日を確認し、確認画面中部の「ＯＫボタン」を選択すると（Ｓ１３０８）、制御部２２は、新たに登録されたセンサ収納容器２０１Ｂを、使用対象容器（使用中のボトル）に設定する（Ｓ１３１３）。
【００３６】
以上の動作を実行することにより、使用者が使用中のセンサ収納容器２０１Ａを自宅に忘れてしまい、外出先で予備のセンサ収納容器２０１Ｂを使用せざるを得ない場合においても、センサ収納容器２０１Ａに加えてセンサ収納容器２０１Ｂを新たに使用対象として設定して使用することができる。
使用者は、センサ収納容器２０１Ｂから取り出したセンサ２を用いて、図９に示す血糖値の測定処理を行う。測定後、制御部２２は、使用対象であるセンサ収納容器２０１Ｂの容器情報においてセンサ数を更新する（つまり、センサ数を１つ減じる）。
[２−２−２  容器情報の確認・変更]
その後、使用者が帰宅してセンサ収納容器２０１Ａが収納ケース１４に戻されると、図１１に示すように、収納ケース１４内にはセンサ収納容器２０１Ａとセンサ収納容器２０１Ｂが再び収納される。使用者は使用開始日が古いセンサ収納容器２０１Ａを使いたいが、センサ収納容器２０１Ａ、２０１Ｂは、双方ともに開封状態であるため、どちらがセンサ収納容器２０１Ａで、どちらがセンサ収納容器２０１Ｂなのか見分けがつかない。
【００３７】
そこで本実施形態においては、バーコード読取部２３を用いてセンサ収納容器２０１Ａまたは２０１Ｂの容器情報を読み取ることにより、使用開始日の古い方のセンサ収納容器（つまりセンサ収納容器２０１Ａ）を、複数のセンサ収納容器２０１Ａ、２０１Ｂの中から識別する。
以下その手順について、図１３の動作フローチャートに沿って説明する。
使用者が、携帯端末８の表示部１１に表示された、図１４に示すボトル選択アイコン２９を選択すると（Ｓ１３０１）、図１５のＴＯＰ画面が表示される（Ｓ１３０２）。本実施形態の携帯端末８には、図１５に示すように、そのＴＯＰ画面に、「※新しくボトルを追加」ボタンＡ２の他に、「未終了ボトル」ボタン（表示実行操作部の一例）Ａ１を設けている。「未終了ボトル」ボタンＡ１は、すでに容器情報が取得され記憶部２４に記憶されたセンサ収納容器に関する情報を表示させるためのボタンである。
【００３８】
使用者が「未終了ボトル」ボタンＡ１を選択すると（Ｓ１３０３）、制御部２２は、全ての容器情報を記憶部２４から読み出し、図１８のボトル確認画面を表示部１１に表示する（Ｓ１３０９）。同画面では、容器情報ボタンとして、読み出した容器情報がボトル使用開始日およびセンサ数の文字とともに表示される。
具体的には、センサ収納容器２０１Ａとセンサ収納容器２０１Ｂの２つの容器情報ボタンＢ１、Ｂ２が表示される。表示部１１の上部には、センサ収納容器２０１Ａの容器情報を表す容器情報ボタンＢ１を、ボトル使用開始日とセンサ数を示す＜［２０１２／１２／０１］  残り１２枚＞の文字とともに表示する。つまり、今回新たに取得したセンサ収納容器２０１Ｂとともに、他のセンサ収納容器の容器情報も表示されるので、使用者は管理されている容器情報を一度に確認することができる。
【００３９】
また、制御部２２は、容器情報（容器本体３のセンサ数やボトル使用開始日）を表示部１１に表示する時には、センサ２の使用開始日が古い順に表示させる。具体的には、容器情報をボトル使用開始日が古い順（使用開始日順）に表示部１１の上から表示する構成としている。このため、今回追加されたセンサ収納容器２０１Ｂの容器情報ボタンＢ２は、一番下に特定表示されるので、新たに追加された容器情報を容易に確認することができる。
なお、表示部１１における順番は、上記に限定されず、制御部２２は、容器情報をボトル使用開始日が新しい順に表示部１１の上から表示するようにしてもよい。
更に、図１８に示すように、現在、使用対象容器として設定されているセンサ収納容器２０１Ｂを、太枠で囲んで、「※選択中」の文字とともに特定表示する。なお、センサ収納容器２０１Ｂは、使用者が外出先で使用し測定を１回行っているので、容器情報ボタンＢ２には、センサ２の使用開始日とともに、センサ２の数が２９枚と表示されている。
【００４０】
このボトル選択画面には、センサ収納容器２０１を識別するための操作キーの一例として、表示部１１の下部にバーコード読取部２３を再起動させるためのボトルチェックボタンＢ３を［ＣＨＥＣＫ］の文字と共に表示させている。
使用者は、選択したボトル（つまり、特定表示されたボトル）が使用したいボトルと異なる場合、チェックボタンＢ３を選択する（Ｓ１３１０の“No"）。そして、本実施形態における携帯端末８の制御部２２は、このチェックボタンＢ３の操作により、バーコード読取部２３を起動させ、このバーコード読取部２３によってセンサ収納容器２０１の表示部５から容器情報を読み取ると（Ｓ１３０４）、取得したセンサ収納容器２０１の個別識別情報に対応する容器情報を記憶部２４に記憶された容器情報から検出する（Ｓ１３０５）。そして、制御部２２は、図１９に示すように、検出した容器情報のセンサ数と使用開始日を表示部１１に特定表示（太枠で囲まれた状態の表示）させる（Ｓ１３１１）。ここでは、制御部２２は、センサ収納容器２０１Ａのバーコード情報を読み取り、記憶部２４からセンサ収納容器２０１Ａの容器情報を取得したものとする。このとき、図１９に示すように、センサ収納容器２０１Ａの容器情報ボタンＢ１を、太枠で囲まれた状態で特定表示し、「※読み込みボトル」の文字とともに表示部１１の一番上に表示させる。
【００４１】
更に、制御部２２は、図１９に示すように、記憶部２４に記憶された他の容器情報を読み出し、それぞれの容器情報毎に、その個別識別情報に対応するセンサ数と使用開始日を表示部１１に表示させる。つまり、制御部２２は、全ての容器情報を記憶部２４から読み出し、図１９のボトル確認画面に示すように、これらの容器情報を、容器情報ボタンとして、ボトル使用開始日およびセンサ数の文字とともに表示部１１に表示させる。
このとき、制御部２２は、容器情報をセンサの使用開始日（ボトル使用開始日）が古い順に表示部１１の上から表示するので、太枠の特定表示とその表示位置により、使用者は、「今読み取った収納容器は、センサの使用開始日が最も古いセンサ収納容器である」と認識することができる。
また、ボトル使用開始日は、新しいセンサ収納容器２０１を使用する時に決まるので、センサ収納容器２０１の使用が長期間にわたる場合においては、使用者はこのボトル使用開始日を忘れてしまうことがあるが、本実施形態においては、バーコード読取部２３を用いてセンサ収納容器２０１の容器情報を読み取ると、読み取った容器情報が記憶部２４に記憶されると共に、容器情報ボタンとして表示部１１に表示される。また、表示される容器情報ボタンには、ボトル使用開始日がセンサ数とともに表示される。このため、使用者は、忘れてしまいがちなボトル使用開始日を普段使用している携帯端末８を用いて確認できるので、この点からも、センサ２の使い勝手が良いものとなる。
【００４２】
その後、使用者によりこの容器情報ボタンＢ１がタッチ選択されると、制御部２２は、図２０のボトル選択画面に示すように、容器情報の確認画面を表示する（Ｓ１３１２）。使用者が容器情報ボタンを確認し、確認画面中部の「ＯＫボタン」を選択すれば、制御部２２はセンサ収納容器２０１Ａを使用対象容器に設定する（Ｓ１３１３）。
なお、本実施形態の携帯端末８の制御部２２は、図１５の表示実行操作部（「未終了ボトル」ボタンＡ１、上述の「※新しくボトルを追加」ボタンＡ２）の操作により、制御部２２でバーコード読取部２３を起動させる。そして、このバーコード読取部２３によってセンサ収納容器２０１の表示部５を読み取り、取得したセンサ収納容器２０１の容器情報をセンサ数表示とともに表示部１１に表出させる場合には、表示部１１にバーコード読取部２３を再起動させるための操作キー（チェックボタンＢ３）を表示させる。
【００４３】
そして、図１６、図１８、図１９のボトル確認画面で、チェックボタンＢ３が選択されると、バーコード読取部２３により別のセンサ収納容器２０１から容器情報を読み取ることができる。
なお、図１７（Ｓ１３０８）や図２０（Ｓ１３１２）の確認画面下部の「キャンセルボタン」が選択されると、図１６（Ｓ１３０７）や図１９（Ｓ１３１１）に戻る。また、使用者は、図１６、図１８、図１９のボトル確認画面において表示された容器情報ボタンＢ１及びＢ２を直接選択することもできる。
読み取った容器情報がセンサ収納容器２０１Ｂのものである時は、図１９のボトル確認画面で、上から２番目に表示されている容器情報ボタンＢ２が太枠で囲まれて特定表示される。この太枠の特定表示とその表示位置により、使用者は、「今読み取った収納容器よりも、使用開始日が古いセンサ収納容器がある」と認識することができる。その結果として、センサ２の使い勝手が良いものとなる。
【００４４】
このように、本実施形態のセンサ情報管理システム１００は、複数のセンサ収納容器（今回はセンサ収納容器２０１Ａ、センサ収納容器２０１Ｂ）内のセンサ数および使用期限をそれぞれ管理でき、使用者は携帯端末８の表示でそれらを確認することができるので、センサ２の使い勝手の良いものとなる。
本実施形態においては、センサ収納容器２０１の個別識別情報を、携帯端末８のバーコード読取部２３で読み取り、この読み取った個別識別情報を記憶部２４に記憶し、センサ数と使用開始日の管理を行うものである。つまり、センサ収納容器２０１自身がセンサ数および使用期限を管理する構成を持つ必要は無い（例えば、センサ収納容器２０１は、その表示部５に容器情報を視認可能に表示する必要はない）ので、使用後に廃棄されるセンサ収納容器２０１の構成を簡略化することができる。
【００４５】
なお、使用対象容器とは、使用者が血糖値を測定した時に、センサ２の数を１つ減じる対象の容器である。したがって、使用者が測定器９で血糖値を測定し、測定器９が携帯端末８に血糖値を送信すると、携帯端末８は、使用対象容器（センサ収納容器２０１）の容器情報を、個別識別情報に基づき記憶部２４の容器情報群から抽出し、この容器情報が有するセンサ数を減じる。その後、記憶部２４に記憶されたセンサ数を更新する。
以上説明したように、本実施形態のセンサ情報管理システム１００は、センサ収納容器２０１Ａの容器情報に加えて、センサ収納容器２０１Ｂの容器情報をバーコード読取部２３で読み取ると、携帯端末８の管理下にセンサ収納容器２０１Ｂを登録し、使用対象容器として追加することができる。その結果として、複数のセンサ収納容器に収納されたセンサ２の管理を行うことが出来る。
【００４６】
なお、本実施形態の携帯端末８の制御部２２は、使用期限マークで設定される使用期限日に基づき注意表示を行うようにしてもよい。具体的には、制御部２２は、時計３０から今日の日付を読み取り、今日の日付がセンサ２の使用期限日よりも小さいことを確認する。この確認は、たとえば、センサ数を表示部１１に表示する時に行われる。そして、センサ２の使用期限日が近づくと、例えば使用期限日の１０日前になると、センサ数の表示と共に、表示部１１に使用期限日が近いことを注意する表示（図示せず）を行う。これにより、センサ２の使用期限日が近づくと表示部１１に注意表示が行われるので、使用者は、センサ２の使用期限日が近いことを知ることができ、この点からも使い勝手を良くすることができる。
[２−３  効果等]
以上説明したごとく、本実施形態のセンサ情報管理システム１００は、実施の形態１の効果に加え、携帯端末８のバーコード読取部２３により複数のセンサ収納容器２０１のバーコード７から、各センサ収納容器２０１の個別識別情報と、各センサ収納容器２０１内に収納されたセンサ２の初期収納数（センサ数）と使用期限マークを示す情報を読み取って、センサ収納容器２０１毎に記憶部２４に記憶する。その結果として、複数のセンサ収納容器２０１に収納されたセンサ２の管理を一括して行うことが出来る。
【００４７】
また、使用途中のセンサ収納容器２０１が複数有り、それぞれの使用期限が異なる場合であっても、使用期限日順に容器情報を表示する。したがって、使用者は、効率的にセンサ収納容器２０１内のセンサを使用することができ、この点からも、使い勝手の良いものとなる。
（実施の形態３）
[３−１  構成]
本実施形態のセンサ情報管理システム１００は、主に、容器情報として製造日に基づく有効期限日を扱う点において、上記実施の形態２とは異なる。センサ収納容器及び携帯端末については実施の形態１と同様の構成であるため、同様の符号を付して、同じ図を参照する。
【００４８】
以下、本実施形態に係るセンサ情報管理システム１００の動作について、実施の形態２と異なる点を中心に説明する。
[３−２  動作]
実施の形態２において、図１３のステップＳ１３０７において表示する読取ボトル確認画面（図１６、図１８、図１９）では、容器情報を、ボトル使用開始日が古い順（使用開始日順）に表示部１１の上から表示した。実施の形態３は、容器情報を、センサ２の製造日が古い順（製造日順）に表示部１１の上から表示する。つまり、センサ２には、上述のごとく、製造日に基づく有効期限日（例えば製造日＋１５ヶ月）が設けられているものがあり、このような場合、容器情報をセンサ２の製造日順に表示する。これにより、製造日が古いセンサ２が収納されたセンサ収納容器２０１を容易に確認することができ、使い勝手の良いものとなる。
【００４９】
以下、本実施形態に係るセンサ情報管理システム１００の動作について説明する。
まず、本実施形態の容器情報は、記憶部２４に記憶され、図２２（ｂ）に示すように、センサ収納容器２０１Ａ，２０１Ｂそれぞれについて、センサ２の数、使用期限、個別識別情報、ボトル使用開始日に加えて、センサ収納容器２０１Ａ，２０１Ｂ内に収納されるセンサ２の製造日および有効期限日を有する。このセンサ２の製造日および有効期限日は、図２２（ａ）に示すセンサ収納容器のバーコード７に含まれる情報を携帯端末８のバーコード読取部２３（図６）により読み取ることにより取得される。
図２１は、本実施形態における携帯端末８の動作フローチャートである。ここでは、実施の形態２における図１３のＳ１３０７に代えてＳ１３０７Ｒの動作を行い、図１３のＳ１３０９に代えてＳ１３０９Ｒの動作を行い、図１３のＳ１３１１に代えてＳ１３１１Ｒの動作を行う。
【００５０】
図２３及び図２４は、新たなセンサ収納容器２０１を管理対象として追加する時のボトル確認画面で、実施の形態２における図１６に対応するものである。
具体的な動作を説明すると、図２１のＳ１３０７Ｒで、制御部２２は、図２３のボトル確認画面を表示する。この時、上述のごとく、制御部２２は、まず記憶部２４に記憶された容器情報をセンサ収納容器毎に読み出し、表示部１１にボトル使用開始日が古い順（使用開始日順）に上から表示する。それに加えて、表示部１１には、右上に、センサ２の製造日が古い順（製造日順）に表示するための切替ボタン（操作キーの一例）Ｄが表示される。
なお、制御部２２は、容器情報をボトル使用開始日が新しい順に表示部１１の上から表示するようにしてもよい。また、製造日順についても、制御部２２は、容器情報をセンサの製造日が新しい順に表示部１１の上から表示するようにしてもよい。
【００５１】
使用者がこの切替ボタンＤをタッチ選択すると、制御部２２は、記憶部２４内に記憶した容器情報（図２２（ｂ））のセンサ２の製造日を検出する。そして、制御部２２は、図２４に示すように、容器情報を、センサ２の製造日が古い順に表示部１１の上から表示する。この製造日順表示の時に、容器情報ボタンＢ１、Ｂ２には、センサ２の使用開始日に代えて、センサ２の製造日が表示される。
この結果、使用者は、製造日が古いセンサ２が収納されたセンサ収納容器２０１Ｂを容易に確認することができ、使い勝手の良いものとなる。
また、この製造日順表示の時にも、画面の右上に切替ボタンＤを設けているので、使用者は、タッチ操作により使用開始日順表示と製造日順表示を簡単に切り替えることが出来、この点からも使い勝手の良いものとなる。
【００５２】
図２１のＳ１３０９Ｒでは、制御部２２は、図２５又は図２６のボトル確認画面を表示部１１に表示させる。図２５、図２６は、現在、使用対象となっているセンサ収納容器２０１を確認する時の画面で、実施の形態２における図１８に対応するものである。この図２５、図２６における表示部１１の表示にも、画面右上に切替ボタンＤを設けているので、制御部２２は、図２５の使用開始日順の表示と図２６の製造日順の表示を簡単に切り替えることができる。
図２１のＳ１３１１Ｒで、制御部２２は、図２７又は図２８のボトル確認画面を表示部１１に表示する。図２７、図２８は、使用中のセンサ収納容器２０１が複数個ある時に、使用したいセンサ収納容器２０１を、バーコード読取部２３を用いて容器情報を読み込むことにより使用するセンサ収納容器２０１を識別する時の画面で、実施の形態２における図１９に対応するものである。この図２７、図２８における表示部１１の表示にも、画面右上に切替ボタンＤを設けているので、制御部２２は、図２７の使用開始日順表示と図２８の製造日順表示を簡単に切り替えることができる。
【００５３】
その結果として、使用者は製造日が古いセンサ２が収納されたセンサ収納容器２０１を容易に確認することができ、センサ２の使い勝手が良いものとなる。
なお、本実施形態の携帯端末８の制御部２２は、センサ２の製造日に基づき注意表示を行ってもよい。具体的には、制御部２２は、時計３０から今日の日付を読み取り、今日の日付がセンサ２の有効期限日よりも小さい（早い）ことを確認する。この確認は、たとえば、センサ数を表示部１１に表示する時に行われる。そして、センサ２の有効期限日が近づくと、たとえば有効期限日の２０日前になると、センサ数の表示と共に、表示部１１を介して有効期限日が近いことを注意する表示（図示せず）を行う。これにより、センサ２の有効期限日が近づくと表示部１１に注意表示が行われるので、使用者は、表示部１１の注意表示を見て、センサ２の有効期限日が近いことを知ることができ、この点からもセンサ２の使い勝手が良いものとなる。
【００５４】
[３−３  効果等]
以上説明したごとく、本実施形態のセンサ情報管理システム１００は、実施の形態１又は／及び実施の形態２の効果に加え、使用者は、使用期限が近いセンサ２が収納されたセンサ収納容器２０１を容易に確認するだけでなく、製造日が古いセンサ２が収納されたセンサ収納容器２０１を容易に確認することができるため、センサ２の使い勝手が良いものとなる。
（その他実施の形態）
以上のように、本出願において開示する技術の例示として、実施の形態１〜３を説明した。しかしながら、本開示における技術は、これに限定されず、適宜、変更、置き換え、付加、省略などを行った実施の形態にも適用可能である。また、上記実施の形態１〜３で説明した各構成要素を組み合わせて、新たな実施の形態とすることも可能である。
【００５５】
そこで、以下、他の実施の形態を例示する。
[１]
上記実施の形態に係るセンサ収納容器１，２０１においては、表示部５に設けられるセンサ情報又は容器情報を示すマークの一例としてバーコード情報を用いていたが、これに限定されない。ＱＲコード（登録商標）等その他の光学的に読み取り可能なマークであってもよい。また、ＩＣタグ等通信によって読み取り可能な識別コードであってもよい。
[２]
上記実施の形態２に係るセンサ情報管理システム１００においては、携帯端末８の制御部２２は、センサ収納容器２０１の容器情報の表示を、ボトル使用開始日順としているが、これに限定されない。制御部２２は、製造日順にセンサ収納容器２０１の容器情報を表示するようにしてもよい。
【００５６】
以上のように、本開示における技術の例示として、実施の形態を説明した。そのために、添付図面および詳細な説明を提供した。
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
また、上述の実施の形態は、本開示における技術を例示するためのものであるから、特許請求の範囲またはその均等の範囲において種々の変更、置き換え、付加、省略などを行うことができる。
【産業上の利用可能性】
【００５７】
本開示に係る技術は、例えば血糖値を測定するセンサを収納するセンサ収納容器と、これを用いたセンサ情報管理方法と、センサ収納容器に収納されたセンサを管理するセンサ情報管理システムとして広く活用が期待されるものである。
【符号の説明】
【００５８】
１  センサ収納容器
１Ａ  センサ収納容器
１Ｂ  センサ収納容器
２  センサ
３  容器
４  蓋
５  表示部
６  ラベル
７  バーコード
８  携帯端末
８ａ  本体ケース
９  測定器
９ａ  本体ケース
１０  表示部
１１  表示部
１２  シール
１３  穿刺器具
１４  収納ケース
１５  センサ装着部
１６  測定部
１７  制御部
１８  通信部
１９  電池
２０  記憶部
２１  通信部
２２  制御部
２３  バーコード読取部
２４  記憶部
２５  電池
２６  電源キー
２７  読み込みボタン
２８  点着部
２９  ボトル選択アイコン
３０  時計
Ｄ  切替ボタン
【図１】
0005843966.tif 000002
【図２】
0005843966.tif 000003
【図３】
0005843966.tif 000004
【図４】
0005843966.tif 000005
【図５】
0005843966.tif 000006
【図６】
0005843966.tif 000007
【図７】
0005843966.tif 000008
【図８】
0005843966.tif 000009
【図９】
0005843966.tif 000010
【図１０】
0005843966.tif 000011
【図１１】
0005843966.tif 000012
【図１２】
0005843966.tif 000013
【図１３】
0005843966.tif 000014
【図１４】
0005843966.tif 000015
【図１５】
0005843966.tif 000016
【図１６】
0005843966.tif 000017
【図１７】
0005843966.tif 000018
【図１８】
0005843966.tif 000019
【図１９】
0005843966.tif 000020
【図２０】
0005843966.tif 000021
【図２１】
0005843966.tif 000022
【図２２】
0005843966.tif 000023
【図２３】
0005843966.tif 000024
【図２４】
0005843966.tif 000025
【図２５】
0005843966.tif 000026
【図２６】
0005843966.tif 000027
【図２７】
0005843966.tif 000028
【図２８】
0005843966.tif 000029